(57)【要約】【課題】超音波カテーテルで使用する音響的にニュートラルな構造を結合するための材料及び処理法を提供する。【解決手段】本明細書では、遠位端を画成するカテーテルハウジング６０と、該カテーテルハウジング内部に配置されると共にカテーテルハウジング内部で回転可能な超音波トランスデューサーアレイ５０と、ポリイミドベースに結合しておりかつ該ポリイミドベースを通して超音波トランスデューサーアレイの表面に接着剤で結合したポリエーテル−ポリアミドコポリマーキャップを備える音響的にニュートラルな構造５８と、超音波トランスデューサーアレイと結合させたモーター５２であって、３次元ボリュームの撮像のために超音波トランスデューサーアレイを回転させるように構成されたモーターと、カテーテルハウジングの自由体積内部に配置された音響結合用流体とを備える超音波カテーテル４０を提供する。【選択図】図３
2010240424.tif 000002
【特許請求の範囲】
【請求項１】
遠位端を画成する探触子ハウジングと、
前記探触子ハウジング内部に配置されると共に該探触子ハウジング内部で回転可能な超音波トランスデューサーアレイと、
前記超音波トランスデューサーアレイの表面に接着剤で結合した音響的にニュートラルな構造と、
前記超音波トランスデューサーアレイと連結したモーターであって、３次元ボリュームの撮像のために該超音波トランスデューサーアレイを回転させるように構成されたモーターと、
前記探触子ハウジングの自由体積内部に配置された音響結合用流体と
を備える超音波探触子。
【請求項２】
超音波カテーテル、内視鏡、術中超音波探触子、腔内超音波探触子、超音波撮像探触子又は超音波治療デバイスである、請求項１記載の超音波探触子。
【請求項３】
前記超音波カテーテルが、経食道カテーテル、心腔内心エコーカテーテル、経鼻カテーテル、経胸郭カテーテル、脈管内カテーテル、腔内カテーテル又は術中カテーテルである、請求項２記載の超音波探触子。
【請求項４】
前記音響結合用流体が、水、プロピレングリコール、塩水、鉱油、エチレングリコール、ヒマシ油又はこれらの組合せを含む、請求項１記載の超音波探触子。
【請求項５】
前記音響的にニュートラルな構造が２層式構造を含む、請求項１記載の超音波探触子。
【請求項６】
前記２層式構造がポリマーフィルムベースに結合したポリマーキャップを含む、請求項５記載の超音波探触子。
【請求項７】
前記ポリマーキャップがポリエーテル−ポリアミドブロックコポリマーを含み、前記ポリマーフィルムがポリイミドを含む、請求項６記載の超音波探触子。
【請求項８】
前記音響的にニュートラルな構造が、１マイクロ秒当たり１．０〜３．０ｍｍの範囲の音速と１．０〜３．０メガレイリーの範囲の音響インピーダンスとを有する、請求項１記載の超音波探触子。
【請求項９】
遠位端を画成する探触子ハウジングと、
前記探触子ハウジングの内部に配置されると共に該探触子ハウジングの内部で回転可能な超音波トランスデューサーアレイと、
前記超音波トランスデューサーアレイの表面に接着剤で結合した音響的にニュートラルな構造であって、ポリマーフィルムベースに結合したポリマーキャップを備える音響的にニュートラルな構造と
を備える超音波探触子を製造する方法であって、
射出成形、圧縮成形又はこれらの組合せを用いてポリマーフィルムベースに対してポリマーキャップを成形する工程を含む製造方法。
【請求項１０】
前記ポリマーキャップがポリエーテル−ポリアミドブロックコポリマーを含み、前記ポリマーフィルムベースがポリイミドを含む、請求項９記載の超音波探触子の製造方法。
【発明の詳細な説明】
【技術分野】
【０００１】
本願発明は、超音波探触子ハウジングで使用できる音響的にニュートラルな材料を製造するための材料及び処理法に関する。
【背景技術】
【０００２】
カテーテル式超音波撮像技術は、大腿静脈などの静脈や動脈内に撮像カテーテルなどの探触子を挿入することを要するのが一般的であるような介入的手技である。この探触子は２次元又はリアルタイム３次元の撮像を提供できるように特別に設計されている。こうした用途は要求が厳しく、かつ非常に小型のトランスデューサーパッケージを必要とするものの、大きな情報量の収集が可能でなければならない。幾つかの状況では、トランスデューサーアセンブリと周囲の超音波探触子ハウジングの間に何らかの形態の音響結合を提供し、これらトランスデューサーとハウジングの間で効果的な又は適当な音響的遷移を提供することが望ましい。
【先行技術文献】
【特許文献】
【０００３】
【特許文献１】米国特許出願公開第２００７／０１６７８１３号明細書
【発明の概要】
【発明が解決しようとする課題】
【０００４】
しかし音響流体が存在することによって、トランスデューサーの機械的な回転によって流体内に気泡が形成されこの気泡が撮像と干渉すると画質を劣化させることがある。音響結合用流体はさらに、結合用流体内における音速が撮像対象媒質（すなわち、血液や組織）内の音速と異なる場合に、望ましくない焦束作用を生じさせることがある。したがって、音響流体の気泡形成及び干渉のリスクを最小化する方法の開発に関する要請が存在する。方針の１つは、音響的にニュートラルな材料を用いてトランスデューサーと探触子ハウジングの間にある空間を占有した超音波探触子を設計することである。
【課題を解決するための手段】
【０００５】
本発明は、超音波探触子ハウジングで使用できる音響的にニュートラルな材料を製造するための材料及び処理法に関する。音響特性に基づいた材料の選択、並びに超音波探触子のその他の構成要素に容易に装着可能とするような部品の製造処理法についても開示する。
【０００６】
一実施形態では本発明は、遠位端を画成する探触子ハウジングと、該探触子ハウジングの内部に配置されると共に該探触子ハウジングの内部で回転可能な超音波トランスデューサーアレイと、超音波トランスデューサーアレイの表面に接着剤で結合した音響的にニュートラルな構造と、超音波トランスデューサーアレイと連結したモーターであって、３次元ボリュームの撮像のために超音波トランスデューサーアレイを回転させるように構成されたモーターと、探触子ハウジングの自由体積内部に配置された音響結合用流体とを備える超音波探触子を提供する。
【０００７】
別の実施形態では、本発明は、超音波探触子を製造する方法を提供する。この超音波探触子は、遠位端を画成する探触子ハウジングと、該探触子ハウジングの内部に配置されると共に探触子ハウジングの内部で回転可能な超音波トランスデューサーアレイと、超音波トランスデューサーアレイの表面に接着剤で結合した音響的にニュートラルな構造であってポリマーフィルムベースに結合したポリマーキャップを備えた音響的にニュートラルな構造とを備える。本製造方法は、射出成形、圧縮成形、又はこれらの組合せを用いてポリマーフィルムベースに対してポリマーキャップを成形する工程を含む。
【０００８】
本発明に関する別の様々な特徴、目的及び利点については、添付の図面及びその詳細な説明から当業者には明らかとなろう。
【図面の簡単な説明】
【０００９】
【図１】射出成形デバイスと組合せて使用される２層式の音響的にニュートラルな構造向けの金型アセンブリを表した概要図である。
【図２】本発明の一実施形態による２層式の音響的にニュートラルな材料を成形するための処理工程の概要を表した流れ図である。
【図３】本発明の一実施形態と共に使用される心腔内心エコー（ＩＣＥ）カテーテルを部分的に切り欠いて示した概要図である。
【図４】図３に示したＩＣＥカテーテルの断面図である。
【発明を実施するための形態】
【００１０】
本発明は、超音波探触子内で超音波周波数で使用するための音響的にニュートラルな構造を製造するための材料及び処理法を記載している。超音波探触子は、内視鏡、術中又は腔内超音波探触子、及び超音波カテーテル（ただし、これらに限らない）を含む。本発明の一実施形態を組み込み得る超音波カテーテルは、経食道カテーテル、経鼻カテーテル、経胸郭カテーテル、腔内カテーテル、心腔内カテーテル、脈管内カテーテル、及び術中カテーテル（ただし、これらに限らない）を含む。
【００１１】
超音波探触子は、３次元ボリュームを撮像するように構成されると共に、トランスデューサーアレイをその内部に配置させて有する探触子ハウジングとトランスデューサーアレイと連結したモーターとを備えることがある。このモーターは、３次元ボリュームを撮像するためにトランスデューサーアレイを回転するように構成されている。超音波探触子ハウジング内部にある自由空間は、水、プロピレングリコール、塩水、鉱油、エチレングリコール、ヒマシ油、又はこれらの組合せなどの音響結合用流体で満たすことがある。典型的にはこの結合用流体は、血液や組織などの撮像媒質に近い音響インピーダンス及び音速（Ｚ≒１．５ＭＲａｙｌ、Ｖ≒１５４０ｍ／秒）を有することになる。結合用流体は撮像の際に支援となる一方、音響流体に関する問題はこうした流体が探触子の動作時に気泡を形成する傾向があることである。この気泡は探触子ハウジングの充填が不完全でチェンバー内に気体の空隙が残っているために形成されることがあり、またモーター動作時にも形成されることがある。こうした気泡は、これが音響経路内にあった場合に画像収集と干渉することがある。探触子ハウジング内部の自由体積の大きさ並びにハウジングとトランスデューサーの間の間隔を小さくすると、音響経路内における気泡の存在に由来する画質劣化が軽減されることがある。中実な材料を充填剤として用いることがある。
【００１２】
材料内を超音波が通過すると、送信ビームプロフィールの変更、並びにエネルギーの反射や吸収を生じることがある。これはさらに探触子ハウジング内で充填剤として使用される中実な材料にも当てはまる。超音波探触子の構成要素材料と別の材料の間の音響インピーダンス不整合が、材料界面の位置でエネルギーの反射を生じさせると共に、残響及び画像内でのアキシャル分解能の低下に繋がることがある。探触子ハウジング材料を通る音響経路長が均一でない場合、この材料と隣接する構成要素の間の音速不整合が超音波ビームを集束、脱集束又は歪ませる可能性があるレンズ効果を生じさせ、これにより画像の分解能及びコントラストを大幅に低下させることがある。したがって音響的にニュートラルな材料が充填剤として好ましいことになる。この用途で使用される音響的にニュートラルな材料としては、熱可塑性エラストマー、ポリウレタン、ポリメチルペンテン、低密度ポリエチレン、エチレン酢酸ビニル（ＥＶＡ）、及び充填シリコーン（ただし、これらに限らない）が含まれる。熱可塑性エラストマーの一例はポリエーテル−アミドブロックコポリマーである。
【００１３】
ある種の実施形態ではその音響的にニュートラルな材料は、ポリマーフィルムベースに結合したポリマーキャップなどの２層式構造を備えることがある。一実施形態では、ソフトブロックとハードブロックとの比が制御可能なポリエーテル−アミドブロックコポリマーがポリマーキャップとして用いられることがある。比較的高弾性のハードアミドブロックの分子量を基準として比較的低弾性のソフトエーテルブロックの分子量を変動させることによって、コポリマーの弾性率及び弾性率に依存する音響特性をある広い範囲にわたって（幾分か連続的に）変更することが可能である。この自由度によって、その材料に水、組織又は音響的に等価な結合用流体と同様の音速及び音響インピーダンスをもたせるようにエーテル対アミドのブロック比を選択することが可能となる。これにより、超音波放射に対して透明であると共に、吸収により送信強度を低下させず通過する超音波ビームに対する影響を最小にできるような水、組織又は結合用流体に対応した音響的にニュートラルな材料が得られる。こうした材料系列の一例は、Ａｒｋｅｍａ社から市販のＰＥＢＡＸ（商標）樹脂であり、ＰＥＢＡＸ２５３３グレードが特に好適である。
【００１４】
しかし、エラストマーであるとともに部分的にアミド系である材料は、超音波システムのその他の構成要素に対する結合が困難であることがある。アミドブロックは、複合材料に結晶性を付与するとともに、それに伴ってある程度の化学耐性を付与し、エポキシ、アクリル又はシリコーンなどの慣用接着剤を用いても容易に結合形成反応に至らない。
【００１５】
一実施形態では、接着性を向上させたポリマーフィルムベースに対してブロックコポリマーを成形させるような低速の射出−圧縮成形プロセスによってその結合を容易にしている。接着性を向上させたポリマーフィルムベースの一例は、Ｄｕｐｏｎｔから入手可能なポリイミドＫａｐｔｏｎ（商標）フィルムなどのポリイミドである。コポリマーとポリイミドフィルムの間の結合は界面接着（ｉｎｔｅｒｆａｃｉａｌ  ａｄｈｅｓｉｏｎ）によって実施することがある。界面接着は、射出成形、圧縮成形、又はこれらの組合せを用いたポリイミドに対するコポリマーの成形によって得られる。得られた２層式コポリマー／フィルム複合材料は、音響的にニュートラルな構造として使用され、次いで従来技術を用いて隣り合った構成要素に対して結合させることができる。
【００１６】
図１を参照すると射出／圧縮成形金型１０は、円筒状の溝１４を有する底部プレート１２と、中央孔１８を有する平面上部プレート１６と、上部プレート内の中央孔に取り付けられた該孔を通過してフィードされる射出柱２０と、射出柱のボア内をぴったりと摺動する射出ラム２２と、射出ラムの上部に取り付けられた圧力プレート２４と、からなる。底部及び上部の金型プレート１２及び１６は、ビス３０によって互いに対して確保され、プログラム可能な圧縮成形プレス機（図示せず）のプラテン間に配置され、かつ温度が与えられる。このサブアセンブリはプレス機から外されると共に、その底側端部がコポリマーの密充填のディスクで充填された射出柱２０が上部プレートに迅速にビス留めされ、かつ圧力プレートが取り付けられる。完成したアセンブリは、成形プレス機のプラテン間に配置され、温度が与えられ、かつポリマーが出口孔から流れ出るまで軽く圧縮される。
【００１７】
成形プロセスの一実施形態についてポリエーテル−アミドコポリマーキャップ及びポリイミドフィルムベースを用いた以下の全体工程により規定される図２の流れ図で表しており、その工程はすなわち：１）ポリエーテル−アミドコポリマーのシートを乾燥させる、２）該シートから射出柱の内径に等しい直径を有するコポリマーディスクを打ち抜き該柱の基部を成すように積み重ねる、３）コポリマー及びポリイミドフィルムをコポリマーの融点を概ね摂氏７５度超える温度に至らせる、４）コポリマーとポリイミドフィルムを射出ラムの作用によって接触せしめる、５）コポリマーとポリイミドフィルムを圧力下で接触状態に保持し、これに続いて急速に冷却すると共に金型から外す。
【００１８】
再度図１を参照するとある種の実施形態では、ポリエーテル−アミドコポリマーのシートを、成形前に真空中において摂氏６０度で少なくとも４８時間にわたり乾燥させることがある。このシートから射出柱の内径に等しい直径を有するコポリマーのディスクを打ち抜くと共に、気体のトラップが最小化されるように柱２０の基部を成すようにぴったりと積み重ねる。コポリマーディスクを包含する柱は、金型サブアセンブリの上部プレート１６内にビス留めされており、これをコポリマーの融点を概ね摂氏７５度超える温度まで余熱させることがある。完成した金型アセンブリ１０は圧縮成形機のプラテン間に配置されることがあり、またこの金型アセンブリは再度コポリマーの融点を概ね摂氏７５度超える温度に至らせることがある。プレス機の下側のプラテンを最小の圧力の下でゆっくりと引き上げ、射出ラム２２が押し下げられて柱の中に入り、底部プレート１２内にある円筒状のチャンネル１４の両端にある解放孔（ｒｅｌｉｅｆ  ｈｏｌｅｓ）からポリマーが射出されるようにすることがある。この圧力は部品の固化を保証するために１分間で９０００ｐｓｉまで上昇させることがあり、次いでその金型を依然として９０００ｐｓｉの圧力下に置きながら室温まで急速に冷却させ、この後でプラテンを開いてアセンブリをプレス機から外すことがある。金型は次いで分解されポリイミドフィルム／コポリマー複合材料部分が金型から外されることがある。
【００１９】
ポリイミドフィルムは離型を支援するだけではなく、コポリマー向けの取り付け可能なベースの役割もする。真空における乾燥の延長と成形中のコポリマーの融点を十分に上回る温度に対する曝露との組合せは、接着を阻害することになるようなコポリマー内の汚染物質を排除又は低減する役割をする。
【００２０】
図３を参照すると、上で述べた音響的にニュートラルな構造を組み込み得るような心腔内心エコー（ＩＣＥ）カテーテル４０の図を表している。ＩＣＥカテーテル４０については例示目的で言及していること、並びに別法としてＩＣＥカテーテル４０の代わりに超音波周波数を送信又は受信するように適合させた任意の超音波探触子を実現できることを理解されたい。超音波探触子は、内視鏡、術中や腔内超音波探触子、超音波カテーテル（ただし、これらに限らない）を含む。本発明の一実施形態を組み込める超音波カテーテルは、経食道カテーテル、経鼻カテーテル、経胸郭カテーテル、腔内カテーテル、心腔内カテーテル、脈管内カテーテル及び術中カテーテル（ただし、これらに限らない）を含む。
【００２１】
図３に示したＩＣＥカテーテル４０は、トランスデューサーアレイ５０、モーター５２（スペース重視の環境の内部とすることも外部とすることもできる）、モーター５２とトランスデューサーアレイ５０の間の駆動シャフト５４やその他の機械的接続、並びに相互接続５６を備える。ＩＣＥカテーテル４０はさらに、トランスデューサーアレイ５０、モーター５２、相互接続５６及び駆動シャフト５４を囲繞するカテーテルハウジング６０を含む。音響的にニュートラルな構造５８は接着剤を用いてトランスデューサーに結合されている。音響的にニュートラルな構造５８は、トランスデューサーアレイやモーターの動作と干渉しないままで、カテーテルハウジング内部の自由体積を削減するように設計されている。具体的には、トランスデューサーとカテーテルハウジングの間の自由体積は音響的にニュートラルな構造が存在するために縮小する。音響的にニュートラルな構造とカテーテルハウジングの間に残された小さな湾曲した空間によって、毛細管作用による音響結合用流体の充填が促進される。一実施形態における構造５８は円筒状である。別の実施形態における構造５８はその側面がベースと直交するセグメントを包含するような直円柱である。さらに別の実施形態における構造５８はカテーテルハウジングと平行である。カテーテルハウジング６０の音響的にニュートラルな構造と対面する表面と音響的にニュートラルな構造５８との間の距離はそのカテーテル設計に依存する。一実施形態ではその距離が３ミル未満であることがある。
【００２２】
図３に図示した実施形態に表したように、トランスデューサーアレイ５０は駆動シャフト５４上に装着されており、またトランスデューサーアレイ５０は駆動シャフト５４と共に回転可能である。モーター制御器６２及びモーター５２はトランスデューサーアレイ５０の回転運動を制御する。相互接続５６とは例えば、信号の受信及び／又は送信に使用するためにトランスデューサーアレイ５０を超音波撮像デバイス（図示せず）に結合させているケーブルやその他の接続のことを指している。
【００２３】
カテーテルハウジング６０、又は超音波撮像ボリュームと交差するその少なくとも一部分は、音響的に透明である（例えば、減衰及び散乱が小さく、音響インピーダンスが血液や組織のそれに近い）。トランスデューサーとハウジングの間の空間には、同じく血液や組織に近い音響インピーダンス及び音速をもつ（Ｚが概ね１．５ＭＲａｙｌに等しく、Ｖが概ね１５４０ｍ／秒に等しい）ような例えば水などの音響結合用流体（図示せず）が充填されることがある。一実施形態ではその音響的にニュートラルな材料は、その音速を１マイクロ秒当たり１．０〜３．０ｍｍとし、かつその音響インピーダンスを１．０〜３．０メガレイリー（ＭＲａｙｌ）とすることがある。
【００２４】
トランスデューサーとカテーテルハウジングの間に音響的にニュートラルな中実な充填材料を組み込むことの別の利点は、わずかな均一ギャップを除き充填材料の形状をカテーテルハウジングの内部に沿わせるような設計が可能なことである。このことは音響結合用流体に対する音速要件を若干緩和するという効果を有する。結合用流体は中実な充填材料とカテーテルハウジングの間のわずかな均一ギャップだけを占有しているため、結合用流体の音速不整合に由来する有害な焦束作用が最小化されることになる。
【００２５】
図４には、図３に示したＩＣＥカテーテル４０の断面を表している。個々の構成要素の寸法はその具体的な用途に基づいて様々となり得る。ポリエーテル−ポリアミドコポリマーキャップ７０及びポリイミドベース７２からなる音響的にニュートラルな構造５８は、超音波トランスデューサー５０の表面に結合している。カテーテルハウジング６０並びに相互接続５６を図示している。本発明の一実施形態の寸法はその用途に基づいて様々となり得る。ある種の実施形態では、そのカテーテルの半径を０．５ｍｍと２．０ｍｍの間とすることがある。
【００２６】
本発明については、その精神又は本質的特徴を逸脱することなく指定の別の形態で実現することができる。上述した実施形態はしたがって、そのすべての点において例示として考察したものであり、本明細書に記載した本発明に対する限定ではない。したがって本発明の範囲は、上述した説明ではなく添付の特許請求の範囲によって指示されるものであり、またしたがって本特許請求の範囲と等価な意味及び範囲に属するすべての変更は本発明の範囲に包含されるように意図している。
【符号の説明】
【００２７】
１０  射出／圧縮成形
１２  底部プレート
１４  円筒状の溝
１６  上部プレート
１８  中央孔
２０  射出柱
２２  射出ラム
２４  圧力プレート
３０  ビス
４０  ＩＣＥカテーテル
５０  トランスデューサーアレイ
５２  モーター
５４  駆動シャフト
５６  相互接続
５８  音響的にニュートラルな構造
６０  カテーテルハウジング
７０  コポリマーキャップ
７２  ポリイミドベース
【図１】
2010240424.tif 000003
【図２】
2010240424.tif 000004
【図３】
2010240424.tif 000005
【図４】
2010240424.tif 000006